(57)【要約】    【課題】  印刷用カートリッジの装着状態によっては、印刷用カートリッジに設けられた記憶素子から情報を正確に読み出せない状態となる場合がある装置であるにも拘わらず、常に、印刷用カートリッジに関する情報として誤った内容の情報を出力することがない印刷装置を、提供する。    【解決手段】  印刷装置を、印刷用カートリッジの交換時に開閉されるカバーである第１カバーに対する開閉操作がなされた場合(ステップＳ１０２；開閉操作イベント、Ｓ１０８；ＹＥＳ)、印刷用カートリッジ側のギアと本体側のギアとを咬み合わせるための処理（ステップＳ１０９）が行われた後に、カートリッジ情報が印刷用カートリッジ上の記憶素子から読み出され、コントローラ内に記憶される(ステップＳ１１０)ように、構成しておく。    【選択図】  図７
2005115030.tif 000002
【特許請求の範囲】
【請求項１】
自カートリッジの状態を表すカートリッジ情報を記憶しておくための記憶素子が設けられた印刷用カートリッジが装着されて使用される印刷装置であって、
前記印刷用カートリッジに設けられているカートリッジ側ギアを回転させるための本体側ギアと、
当該印刷用カートリッジに設けられている記憶素子の所定数の素子電極にそれぞれ接する所定数の本体側電極と、
印刷が行われたときに、前記印刷用カートリッジに設けられている前記記憶素子上のカートリッジ情報を、前記印刷用カートリッジの印刷後の状態を表すものに書き換える機能を有すると共に、前記記憶素子に記憶されているカートリッジ情報を出力する機能を有する記憶素子アクセス手段と、
前記記憶素子に記憶されているものと同じ内容のカートリッジ情報を記憶しておくためのカートリッジ情報記憶手段と、
前記印刷用カートリッジの状態に関する情報を出力すべきときに、前記カートリッジ情報記憶手段に記憶されたカートリッジ情報に応じた情報を出力する情報出力手段と、
印刷が行われた時に、前記印刷用カートリッジの前記記憶素子に記憶されているカートリッジ情報を前記記憶素子アクセス手段に出力させ、そのカートリッジ情報を前記カートリッジ情報記憶手段に記憶する第１カートリッジ情報更新手段と、
前記印刷用カートリッジが交換された可能性がある所定の現象の発生を検出するための検出手段と、
この検出手段により前記所定の現象の発生が検出されたときに、前記印刷手段に前記本体側ギアを所定角度回転させてから、前記印刷用カートリッジの前記記憶素子に記憶されているカートリッジ情報を前記記憶素子アクセス手段に出力させ、そのカートリッジ情報を前記カートリッジ情報記憶手段に記憶する第２カートリッジ情報更新手段
とを、備えることを特徴とする印刷装置。
【請求項２】
前記カートリッジ情報更新手段によりその発生が監視される前記所定の現象が、前記印刷用カートリッジを交換する際に開閉されるカバーに対する開閉操作である
ことを特徴とする請求項１記載の印刷装置。
【発明の詳細な説明】
【技術分野】
【０００１】
本発明は、自カートリッジの状態を表すカートリッジ情報を記憶しておくための記憶素子を備えた印刷用カートリッジが装着されて使用される印刷装置に、関する。
【背景技術】
【０００２】
周知のように、既存の印刷装置（プリンタ，ＦＡＸ，複写機等の印刷を行う装置）の中には、画像形成材料（トナー、インク）が充填されたカートリッジ（以下、印刷用カートリッジと表記する）を装着して使用する装置であると共に、印刷用カートリッジの状態を表す情報（画像形成材料の残量、印刷枚数等からなる情報；以下、カートリッジ情報と表記する）が印刷用カートリッジに備えられた記憶素子（ＥＥＰＲＯＭ等）に記憶されるタイプの装置が、存在している（例えば、特許文献１、２参照）。
【０００３】
そして、上記タイプの印刷装置の中には、印刷用カートリッジに設けられているギアと印刷装置側に設けられているギアとが咬み合っていないと、印刷用カートリッジ上の記憶素子と本体との間の電気的な接触が不良となり、その結果として記憶素子から情報を正確に読み出せない状態となることがあるものが存在しているが、そのような印刷装置（以下、従来装置と表記する）は、印刷用カートリッジが交換された後、しばらくの間は、誤った内容の情報を印刷用カートリッジに関する情報（画像形成材料の残量等）として出力（ホストへ送信／印刷装置の筐体上のＬＣＤに表示）してしまう。
【０００４】
具体的には、従来装置は、印刷用カートリッジ内の画像形成材料を利用して用紙上に実際に印刷を行うユニットであると共に、印刷用カートリッジに設けられている記憶素子上の情報を印刷時に更新するユニットである印刷ユニットと、印刷ユニットを制御するコントローラ（ＣＰＵ等からなるユニット）とで構成されている。そして、従来装置のコントローラは、カートリッジ情報に関して以下の処理を行うものとなっている。
【０００５】
コントローラは、印刷装置の電源が投入された際には、まず、印刷ユニットに印刷用カートリッジ内のトナーを攪拌させる処理等を行わせる。次いで、コントローラは、印刷ユニットに印刷用カートリッジ上の記憶素子からカートリッジ情報を読み出させ、そのカートリッジ情報を内部に記憶する。また、コントローラは、印刷ユニットに印刷を行わせた際にも、印刷ユニットに印刷用カートリッジ上の記憶素子からカートリッジ情報を読み出させ、そのカートリッジ情報を内部に記憶する。そして、コントローラは、画像形成材料の残量等を必要とする処理（画像形成材料の残量等をホストへ送信する処理等）を行う際には、内部に記憶しているカートリッジ情報を利用して当該処理を行う。
【０００６】
要するに、従来装置は、コントローラ内に、印刷用カートリッジ上の記憶素子に記憶されたカートリッジ情報のコピーが記憶され、コントローラ内に記憶されたカートリッジ情報のコピーが出力される装置であると共に、印刷用カートリッジに設けられているギアと印刷装置側に設けられているギアとが咬み合っていることが確実な場合（起動時と印刷後）だけに、カートリッジ情報が記憶素子から読み出されてコントローラ内に記憶される装置となっている。そして、コントロール内に記憶されたカートリッジ情報を出力する装置であるため、従来装置は、印刷用カートリッジが交換された後、しばらくの間（印刷が行われるまでの間）は、交換後の印刷用カートリッジに関する情報として、交換前の印刷用カートリッジに関する情報（つまり、誤った内容の情報）を出力する装置となっているのである。
【特許文献１】特開２００３−８４６３１号公報
【特許文献２】特開２００３−１５４７３４号公報
【発明の開示】
【発明が解決しようとする課題】
【０００７】
本発明は、上記のような現状に鑑みなされたものであり、本発明の課題は、印刷用カートリッジに設けられているギアと印刷装置側に設けられているギアとが咬み合っていないと、印刷用カートリッジ上の記憶素子から情報を正確に読み出せない状態となる場合がある構成を有するにも拘わらず、印刷用カートリッジが交換された場合にも、印刷用カートリッジに関する情報として誤った内容の情報を出力することがない印刷装置を、提供することにある。
【課題を解決するための手段】
【０００８】
上記課題を解決するために、本発明では、自カートリッジの状態を表すカートリッジ情報を記憶しておくための記憶素子が設けられた印刷用カートリッジが装着されて使用される印刷装置を、装着された印刷用カートリッジ内に充填された画像形成材料を用いて用紙上に印刷を行うための、印刷用カートリッジに設けられているカートリッジ側ギアを回転させるための本体側ギアと、当該印刷用カートリッジに設けられている記憶素子の所定数の素子電極にそれぞれ接する所定数の本体側電極とを備え、カートリッジ側ギアと本体側ギアとが咬み合っていない状態では、所定数の素子電極と所定数の本体側電極との間の接触状態が不良となる場合がある構造を有する印刷手段と、印刷手段によって印刷が行われたときに，印刷用カートリッジに設けられている記憶素子上のカートリッジ情報を、印刷用カートリッジの印刷後の状態を表すものに書き換える機能を有すると共に、記憶素子に記憶されているカートリッジ情報を出力する機能を有する記憶素子アクセス手段と、記憶素子に記憶されているものと同じ内容のカートリッジ情報を記憶しておくためのカートリッジ情報記憶手段と、印刷用カートリッジの状態に関する情報を出力すべきときに、カートリッジ情報記憶手段に記憶されたカートリッジ情報に応じた情報を出力する情報出力手段と、印刷手段によって印刷が行われた時に，印刷用カートリッジの記憶素子に記憶されているカートリッジ情報を記憶素子アクセス手段に出力させ、そのカートリッジ情報をカートリッジ情報記憶手段に記憶する第１カートリッジ情報更新手段と、印刷用カートリッジが交換された可能性がある所定の現象の発生を検出するための検出手段と、この検出手段により所定の現象の発生が検出されたときに、印刷手段に本体側ギアを所定角度回転させてから、印刷用カートリッジの記憶素子に記憶されているカートリッジ情報を記憶素子アクセス手段に出力させ、そのカートリッジ情報をカートリッジ情報記憶手段に記憶する第２カートリッジ情報更新手段とを備えるものとしておく。
【０００９】
すなわち、本発明の印刷装置は、印刷用カートリッジが交換された可能性がある所定の現象が発生した場合、印刷用カートリッジに設けられた記憶素子と印刷装置本体との間の電気的な接続状態を良好なものとするためにカートリッジ側ギアと本体側ギアとを咬み合わせるための処理が行われた後に、記憶素子からカートリッジ情報が読み出される構成を有する。従って、本発明の印刷装置は、印刷用カートリッジの装着状態によっては、記憶素子から情報を正確に読み出せない状態となる場合がある構成を有するにも拘わらず、従来装置にて生じている問題（印刷用カートリッジが交換された後、しばらくの間は、誤った内容の情報を印刷用カートリッジに関する情報として出力してしまう）が生じない装置として機能することになる。
【００１０】
本発明の印刷装置を実現するに際しては、カートリッジ情報更新手段により発生が監視される所定の現象を、印刷用カートリッジの脱着自体としておいても良い。ただし、所定の現象を、印刷用カートリッジの交換時に開閉されるカバーの開閉操作としておいた方が、本発明の印刷装置を安価に実現（製造）できることになる。
【発明を実施するための最良の形態】
【００１１】
以下、本発明を実施するための最良の形態を図面を参照して詳細に説明する。
【００１２】
図１に示したように、本実施形態に係る印刷装置１０は、メカコントローラ１３と印刷機構部１４とで構成された印刷実行部１２と、プリンタコントローラ１１とを備えた装置である。また、印刷装置１０は、画像形成材料（本実施形態では、トナー）が充填された印刷用カートリッジ３０が装着されて使用される装置（いわゆるレーザプリンタ）となっている。
【００１３】
この印刷装置１０に装着される印刷用カートリッジ３０は、不揮発性記憶素子３１を備え、その不揮発性記憶素子３１に自カートリッジの状態を表す各種の情報（トナー残量、印刷枚数等）からなるカートリッジ情報が記憶されるカートリッジである。
【００１４】
図２及び図３に示してあるように、この印刷用カートリッジ３０の側面には、印刷用カートリッジ３０内に設けられているトナー攪拌用部材を駆動する（回転させる）ためのカートリッジ側ギア３５が取り付けられている。また、図４に示してあるように、不揮発性記憶素子３１は、３個の電極３２を有する素子となっている。そして、印刷用カートリッジ３０は、そのような構成の不揮発性記憶素子３１が、その下面に取り付けられたものとなっている。
【００１５】
この印刷用カートリッジ３０が装着される印刷機構部１４（図１；ほぼ印刷手段に相当）は、印刷用カートリッジ３０内の画像形成材料を利用して用紙上に印刷を行う（画像を形成する）ユニットである。この印刷機構部１４は、給／排紙装置や、印刷エンジンや、印刷装置１０の筐体に設けられている第１〜第３カバーの開閉状態を検出するための第１〜第３カバー用センサ２１〜２３等から、構成されており、第１カバー用センサ２１（検出手段に相当）が、印刷用カートリッジ３０の交換時に開閉される第１カバー１８（図２参照）の開閉状態を検出するためのセンサとなっている。
【００１６】
また、この印刷機構部１４には、図５に模式的に示してあるように、カートリッジ側ギア３５（図２，３参照）を回転させるための本体側ギア２８が、設けられている。なお、この図５は、第１カバー１８を開けることによって形成される開口部１９（図２）から見える印刷装置１０の内部構成を模式的に示した図である。
【００１７】
さらに、印刷機構部１４の，印刷用カートリッジ３０が装着されたときに不揮発性記憶素子３１と対向する部分には、図６に示してある形状の接続用部材２４が取り付けられている。この接続用部材２４に設けられている３個の電極２５は、接続用部材２４内のコイルバネにより上方向に付勢されており、これらの電極２５が、不揮発性記憶素子３１の３個の電極３２とそれぞれ接触することにより、不揮発性記憶素子３１と印刷実行部１２（印刷機構部１４及びメカコントローラ１３）とが電気的に接続される。
【００１８】
ただし、この接続用部材２４は、カートリッジ側ギア３５と本体側ギア２８とが咬み合っていない状態では、接接続用部材２４と不揮発性記憶素子３１との間に良好な接続状態が形成されない場合があるものとなっている。なお、接続用部材２４が、そのようなものとなっている理由は、耐久性を高くするために（印刷用カートリッジ３０の脱着を規定回数行っても壊れないようにするために）、接続用部材２４を、各電極２５の上下方向に移動可能な長さを比較的に短いものとしているためである。
【００１９】
印刷機構部１４（図１）を構成しているメカコントローラ１３（記憶素子アクセス手段に相当）は、プリンタコントローラ１１からの指示に従い、印刷機構部１４に印刷を行わせる（印刷機構部１４を制御する）ユニットである。このメカコントローラ１３は、ＣＰＵ，ＲＯＭ，ＲＡＭ等から構成されている。また、メカコントローラ１３は、印刷機構部１４に印刷を行わせたときには、不揮発性記憶素子３１上のカートリッジ情報を、印刷用カートリッジ３０の，印刷後の状態を表すものに書き換える処理も行う。さらに、メカコントローラ１３は、プリンタコントローラ１１からのカートリッジ情報の出力要求に応答する処理（不揮発性記憶素子３１に記憶されているカートリッジ情報を読み出してプリンタコントローラ１１に対して出力する処理）、本体側ギア３６が所定角度回転するように印刷機構部１４を制御する咬み合わせ処理、印刷機構部１４（及び自ユニット）の動作モードを変更するモード変更処理等を行う機能も、有している。
【００２０】
メカコントローラ１３が、咬み合わせ処理、モード変更処理を実行するタイミング等についての説明は後述するが、メカコントローラ１３が実行する咬み合わせ処理は、本体側ギア２８とカートリッジ側ギア３５とが咬み合っていない状態にあっても、それらを咬み合わせることが出来る角度として予め定められた角度（本実施形態では、およそ３度）だけ、本体側ギア２８を回転させる（印刷機構部１４内の、本体側ギア２８を回転させるためのメインモータを動作させる）処理となっている。
【００２１】
また、本印刷装置１０（プリンタコントローラ１１及び印刷実行部１２）は、その動作モードとして、印刷を即座に開始することができる通常モードと、通常モードよりも消費電力は少ないが、印刷を即座に開始することができない（通常モードに移行することにより印刷が行える状態となる）節電モードとを有する装置として構成されている。また、本印刷装置１０は、メカコントローラ１３によって動作モードを節電モードから通常モードに変更するためのモード変更処理が行われている間（通常モードへの移行時）は、各種の電気的ノイズが発生するため、不揮発性記憶素子３１からのカートリッジ情報の読み出しが行えない（読み出したカートリッジ情報が正しいものであるかが保証されない）装置ともなっている。
【００２２】
プリンタコントローラ１１（カートリッジ情報記憶手段、情報出力手段、第１カートリッジ情報更新手段及び第２カートリッジ情報更新手段に相当）は、ホストから送信されてきた印刷データに応じた内容の印刷を印刷実行部１２（印刷機構部１４）に行わせる処理や、ホストから送信されてきたステータス情報の出力要求に応答する処理を行うための、ＣＰＵ，ＲＯＭ，ＲＡＭ等からなるユニットである。なお、ホストとは、印刷装置１０用の制御プログラム（ドライバプログラムのみ、或いは、ドライバプログラムとモニタープログラム）がインストールされたコンピュータのことである。また、ステータス情報とは、印刷装置１０の各種状態（紙詰まりの有無、印刷用カートリッジ３０内のトナー残量等）を表す情報のことである。
【００２３】
このプリンタコントローラ１１は、印刷装置１０の電源スイッチがＯＮとされた場合、図７に示した手順の処理を開始するように構成されている（プログラムされている）。
【００２４】
すなわち、印刷装置１０の電源スイッチがＯＮとされた場合、プリンタコントローラ１１は、まず、印刷装置１０（プリンタコントローラ１１及び印刷実行部１２）を通常モード（ホストから送信されてきた印刷データに応じた内容の印刷を即座に開始できる動作モード）で動作している状態とするための初期化処理(ステップＳ１０１)を行う。より具体的には、この初期化処理時、プリンタコントローラ１１は、動作モードが通常モードであることを記憶する処理（自身が通常モードでの動作を開始するための処理）、不揮発性記憶素子３１内に記憶されているカートリッジ情報を印刷実行部１２（メカコントローラ１３）から取得して、取得したカートリッジ情報を自ユニット内（プリンタコントローラ１１内のＲＡＭ上）に記憶する処理（詳細は後述）、印刷実行部１２を通常モードで動作させるための処理等を、行う。
【００２５】
次いで、プリンタコントローラ１１は、印刷データ受信イベント、節電モード移行イベント、開閉操作イベント、ステータス情報送信要求受信イベント等の発生を監視する処理(ステップＳ１０２)を、開始する。ここで、印刷データ受信イベントとは、印刷データの受信を検出したというイベントのことであり、節電モード移行イベントとは、前回の印刷制御処理（ステップＳ１０７；詳細は後述）の完了後（或いは電源投入後），所定時間に亘って印刷データ受信イベントの発生が検出されないというイベントのことである。また、開閉操作イベントとは、印刷装置１０の筐体に設けられている第１カバー１８（図２参照）、第２カバー、第３カバーのいずれかに対して開閉操作がなされた（印刷実行部１２〔メカコントローラ１３〕からその旨を示す情報が得られた）というイベントのことであり、ステータス情報送信要求受信イベントとは、ステータス情報の出力を指示するコマンドをホストから受信したというイベントのことである。なお、節電モード移行イベントを除いた各イベントは、常に（動作モードに依らず）、プリンタコントローラ１１が発生を監視するイベントとなっており、節電モード移行イベントは、動作モードが通常モードである場合にのみプリンタコントローラ１１が発生を監視するイベントとなっている。
【００２６】
そして、プリンタコントローラ１１は、節電モード移行イベントの発生を検出した場合(ステップＳ１０２；節電モード移行イベント)には、節電モードでの動作を開始させるための節電モード移行指示を印刷実行部１２に対して発行すると共に、動作モードが節電モードとなったことを記憶する処理(ステップＳ１０３)を行う。その後、プリンタコントローラ１１は、節電モード用のイベント発生監視処理をステップＳ１０２にて行っている状態（節電モード移行イベントを除いた各種イベントの発生を監視している状態）となる。
【００２７】
また、プリンタコントローラ１１は、ステータス情報送信要求受信イベントの発生を検出した場合(ステップＳ１０２；送信要求受信イベント)には、各種の情報からなるステータス情報を、自ユニット（プリンタコントローラ１１）内に記憶されているカートリッジ情報を用いて作成し、ホストに対して返送する処理(ステップＳ１０４)を行ってから、ステップＳ１０２の処理を行っている状態に戻る。
【００２８】
また、印刷データ受信イベントの発生を検出した場合(ステップＳ１０２；印刷データ受信イベント)、プリンタコントローラ１１は、その時点における動作モードが節電モードであるか通常モードであるかを判断する(ステップＳ１０５)。そして、動作モードが節電モードであった場合(ステップＳ１０５；ＹＥＳ)には、通常モード移行指示を印刷実行部１２に対して発行すると共に、動作モードが通常モードとなったことを記憶する処理(ステップＳ１０６)を行う。その後、プリンタコントローラ１１は、受信した印刷データに応じた内容の印刷を印刷実行部１２に行わせるための印刷制御処理(ステップＳ１０７)を行う。なお、この印刷制御処理時、印刷実行部１２（メカコントローラ１３）は、不揮発性記憶素子３１上のカートリッジ情報を現状を表すものに書き換える処理を行う。また、プリンタコントローラ１１は、書き換えられたカートリッジ情報を、印刷実行部１２から取得して自ユニット内に記憶する処理（自ユニット内に記憶しているカートリッジ情報を不揮発性記憶素子３１に記憶されているカートリッジ情報と一致させる処理）を、行う。
【００２９】
一方、動作モードが通常モードであった場合(ステップＳ１０５；ＮＯ)、プリンタコントローラ１１は、即座に（ステップＳ１０６の処理を行うことなく）、印刷制御処理(ステップＳ１０７)を開始する。
【００３０】
そして、印刷制御処理（ステップＳ１０７）を終えたプリンタコントローラ１１は、ステップＳ１０２の処理を行っている状態に戻る。
【００３１】
また、プリンタコントローラ１１は、開閉操作イベントが発生したことを検出した場合(ステップＳ１０２；開閉操作イベント)には、開閉操作がなされたカバーが第１カバー１８（印刷用カートリッジ３０の交換時に開閉されるカバー）であるか否かを判断する(ステップＳ１０８)。そして、プリンタコントローラ１１は、開閉操作がなされたカバーが第１カバー１８でなかった場合(ステップＳ１０８；ＮＯ)には、特に処理を行うことなく、ステップＳ１０２の処理を行っている状態に戻る。
【００３２】
一方、開閉操作がなされたカバーが第１カバー１８であった場合(ステップＳ１０８；ＹＥＳ)、プリンタコントローラ１１は、咬み合わせ処理の実行指示を印刷実行部１２（メカコントローラ１３）に対して発行(ステップＳ１０９)した後、印刷実行部１２からカートリッジ情報を取得して自ユニット内に記憶する処理(ステップＳ１１０)を行う。なお、上記した初期化処理時にカートリッジ情報を印刷実行部１２から取得するために行われる処理も、このステップＳ１０９及びＳ１１０の処理と同内容の処理となっている。
【００３３】
そして、ステップＳ１１０の処理を終えたプリンタコントローラ１１は、ステップＳ１０２の処理を行っている状態に戻る。
【００３４】
以上、説明したように、本印刷装置１０は、第１カバー１８が開閉されるといった、印刷用カートリッジ３０の交換（或いは、再装着）作業が行われた可能性がある現象が発生した場合、カートリッジ側ギア３５と本体側ギア２８とを咬み合せるための処理が行われてから、不揮発性記憶素子３１内のカートリッジ情報がプリンタコントローラ１１内に読み出される装置となっている。
【００３５】
従って、この印刷装置１０は、従来装置と同様に、印刷用カートリッジ３０の装着状態によっては、記憶素子から情報を正確に読み出せない状態となる場合がある装置であるにも拘わらず、従来装置の使用時に生じる問題（印刷用カートリッジ３０が交換された後、しばらくの間は、誤った内容の情報を印刷用カートリッジ３０に関する情報として出力してしまう）が生じない装置として機能することになる。
【００３６】
＜変形形態＞
上記した印刷装置１０は、各種の変形を行うことができる。例えば、印刷実行部１２として、印刷用カートリッジ３０の脱着状態を検出可能なセンサを備えたものを用い、プリンタコントローラ１１として、印刷用カートリッジ３０に対する脱着作業が行われたときに、ステップＳ１０９以降の処理を開始するものを用いておいても良い。ただし、印刷用カートリッジ３０の脱着を検出できるように印刷実行部１２を構成すると、印刷装置１０の製造コストが高くなることになるので、上記構成を採用しておくことが望ましい。
【００３７】
また、印刷装置１０は、印刷実行部１２が第１カバー１８の検出機能を有する装置であったが、第１カバー用センサ２１の出力がプリンタコントローラ１１に入力されるように（プリンタコントローラ１１が第１カバー１８の開閉状態を直接的に検出できるように）、印刷装置１０を変形しておいても良い。また、上記した印刷装置１０で用いられている技術を基に、印刷装置１０とは異なる種類の印刷装置（ＦＡＸ、インクジェットプリンタ等）を実現しても良いことは、当然のことである。
【図面の簡単な説明】
【００３８】
【図１】本発明の一実施形態に係る印刷装置の構成を示すブロック図。
【図２】実施形態に係る印刷装置の外観図。
【図３】実施形態に係る印刷装置に装着される印刷用カートリッジの外観図。
【図４】実施形態に係る印刷装置に装着される印刷用カートリッジの外観図。
【図５】実施形態に係る印刷装置の内部構成を示した図。
【図６】実施形態に係る印刷装置に設けられている接続用部材の構成を示した図。
【図７】プリンタコントローラの動作手順を示した流れ図。
【符号の説明】
【００３９】
１０  印刷装置、  １１  プリンタコントローラ、  １２  印刷実行部、
１３  メカコントローラ、  １４  印刷機構部、  １８  第１カバー、
１９  開口部、  ２１  第１カバー用センサ、  ２４  接続用部材、  ２５  電極、
２８  本体側ギア  ３０  印刷用カートリッジ、  ３１  不揮発性記憶素子、
３２  電極、  ３５  カートリッジ側ギア
【図１】
2005115030.tif 000003
【図２】
2005115030.tif 000004
【図３】
2005115030.tif 000005
【図４】
2005115030.tif 000006
【図５】
2005115030.tif 000007
【図６】
2005115030.tif 000008
【図７】
2005115030.tif 000009